(57)【特許請求の範囲】
【請求項１】
第１の通信システムのタイムベースのためにマスタークロック周波数を供給する第１の水晶発振器と、
第２の通信システムのタイムベースのために第２のマスタークロック周波数を供給する第２の水晶発振器と、
前記第１および第２の水晶発振器の間に接続され前記第１および第２の水晶発振器を一緒にロックするように構成されたフェーズロックドループと、
前記第１の通信システムへの同期において使用されるように構成された第１の回路と、
前記第２の通信システムへの同期において使用されるように構成された第２の回路と、
前記第１および第２の回路のうち、現在のネットワーク接続を行っている回路のみが前記クロック周波数を制御することができるように、制御されるように構成された切替手段と、
を有する移動無線通信装置。
【請求項２】
前記第１の通信システムはＵＭＴＳであり、前記第２の通信システムはＧＳＭである、請求項１に記載の移動無線通信装置。
を有する請求項１に記載の移動無線通信装置。
【請求項３】
前記切替手段に対する前記制御は、デジタル信号プロセサにより行われる請求項１に記載の移動無線通信装置。
【請求項４】
前記第１および前記第２の回路の各々は前記デジタル信号プロセサを有し、前記デジタル信号プロセッサは、他方の回路が前記発振器に接続されることを保証するために、前記切替手段にロー信号を供給するように構成される請求項３に記載の移動無線通信装置。
【請求項５】
前記第１および第２の水晶発振器はいずれも電圧制御型水晶発振器であり、
前記第１および第２の回路は、いずれも、デジタル信号プロセッサと、該デジタル信号プロセッサのデジタル出力が供給されるデジタル／アナログ変換器と、を有し、
前記デジタル／アナログ変換器の出力が前記切替手段を介して前記第１の水晶発振器に供給される、請求項１に記載の移動無線通信装置。
【請求項６】
前記切替手段に対する前記制御は、前記デジタル信号プロセサにより行われる請求項５に記載の移動無線通信装置。
【発明の詳細な説明】
【０００１】
【発明の属する技術分野】
本発明は、移動通信装置とその関連する動作の方法とに関し、特に、移動電話機とその関連する動作の方法とに関する。
【０００２】
【従来の技術】
移動電話機は、移動電話機内のタイムベース(timebase)回路の一部を形成する、比較的高周波のクロック信号を発生するためのマスタークロック回路すなわち発振器を有する。移動電話機の内部で発生されるタイムベースは、たとえば、ＧＳＭ(Grobal System for Mobile Communication)のような特定の通信システムに基づいて移動電話機が通信する相手となる基地局のタイムベースと同期するように、意図されている。このような同期は、通常、自動周波数制御（ＡＦＣ）機構を使用して実現されており、自動周波数制御（ＡＦＣ）機構は、基地局から受信した一定の信号の周波数をローカルクロックの周波数と比較し、測定された周波数差を除去するようにローカルクロックすなわち発振器を調節することにより、動作する。
【０００３】
利用可能な複数の移動通信システムが開発されてきたが、それらの動作のためには異なるマスタークロックとタイムベースとを必要とする。
【０００４】
したがって、２つ以上のこのようなシステムへの接続を提供できる移動電話機は、サポートする種々の通信システムのうちの選択された１つのシステムに対してその同一の移動電話機を使用することができるので、有利であろう。通常、異なる通信システムは異なる地理的範囲を示すから、同一における移動電話機に対するこのシステム選択は、全く同一の移動電話機での地理的適用範囲を広くする。この地理的な限界は、通常、国境線において出現し、また、新しいネットワーク技術が完全に普及するためにかかる時間の結果としても生ずる。したがって、このようなデュアルモードの移動電話機は、海外旅行をするユーザや、新技術の通信システムの初期のユーザに対して、特に魅力的であろう。
【０００５】
２つのそれぞれの通信システムの間でこのような相互運用性を実現するためには、携帯電話機は、それぞれの通信システムのタイムベースと無線インターフェースとを追跡するための少なくとも２つのマスタークロック回路を必要とする。実際に実現可能であるためには、このようなデュアルモードの相互運用性は、一方の通信システムから他方の通信システムへの即時の切替えを可能にするべきであり、特に、２つの通信システムの間での正確で速い切り替えを可能にするために、少なくとも２つのマスタークロック周波数の相互間での較正を可能にするべきである。
【０００６】
【発明が解決しようとする課題】
本発明は、簡単で信頼性が高く費用効率の高い形態で、異なるタイムベースを必要とする２つの通信システム間の相互運用性を考慮した移動無線通信装置及びその関連する方法の提供を目的とするものである。
【０００７】
【課題を解決するための手段】
本発明によれば、第１の通信システムのタイムベースのためにマスタークロック周波数を供給する第１の水晶発振器と、第２の通信システムのタイムベースのために第２のマスタークロック周波数を供給する第２の水晶発振器と、第１および第２の水晶発振器の間に接続され第１および第２の水晶発振器を一緒にロックするように構成されたフェーズロックドループと、を有する移動無線通信装置が提供される。
【０００８】
本発明は、各タイムベース間でのドリフトを防止することによって、正確な同期を実現することに利点がある。
【０００９】
特に、第１の水晶発振器は、第１の通信システムのタイムベースに対する第１のマスタークロック周波数を供給するための第１の電圧制御型水晶発振器（ＶＣＸＯ）であることができ、第２の水晶発振器は、第２の通信システムのタイムベースに対する第２のマスタークロック周波数を供給するための第２の電圧制御型水晶発振器であることができ、移動無線通信装置の標準的な周波数追跡装置は、第１の電圧制御型水晶発振器に対する電圧調整を行い、フェーズロックドループは、第２の電圧制御型水晶発振器に対する電圧調整を行う。
【００１０】
都合の良いことに、フェーズロックドループによって２つのマスタークロックは相互にロックするので、２つのクロックはドリフトすることができない。
【００１１】
本発明は、第２の水晶発振器が低い位相雑音を与えるような形態で、フェーズロックドループ回路を有利に使用している。低い位相雑音は、移動通信システムの正確な動作のために必要とされる。このような特徴は、本発明で使用されるフェーズロックドループを従来のフェーズロックドループから区別するのに役立っている。
【００１２】
移動無線通信装置は、ネットワークに対する接続を現在与えている通信システムに対応する回路のみがクロック周波数を制御できることを保証するように構成された切替手段を有することが望ましい。
【００１３】
このような切替手段に対する制御は、移動無線通信装置のデジタル信号処理プロセサ（ＤＳＰ）から、あるいはＣＰＵから行えることが望ましい。
【００１４】
切替手段の制御のためにデジタル信号プロセッサが使用される実施形態では、それぞれの通信システムに対応した各回路のデジタル信号プロセッサは、そのデジタル信号プロセッサからのスイッチへのロー(low)信号が、他の通信システムに対応した自動周波数制御（ＡＦＣ）装置を発振器に接続させるように、構成される。移動無線通信装置での電力消費を改善するために、このような特徴は特に有利である。
【００１５】
【発明の実施の形態】
次に、本発明の好ましい実施の形態について、図面を参照して説明する。
【００１６】
図１に例示する回路装置１０は、移動無線通信装置のための中央処理装置（ＣＰＵ）１２を有する。この実施形態では、移動無線通信装置は、移動電話機送受話器（ハンドセット）であってもよい。送受話器はデュアルモード動作のために構成されており、したがって、第１の通信システム、例えばＵＭＴＳ(Universal Mobile Telecommunications System)への同期において使用されるように構成された第１の回路１４と、ＧＳＭシステムのような第２の通信システムへの同期のために構成された第２の回路１６を有する。ＵＭＴＳ用の第１の回路１４は、ＣＰＵ１２から制御信号を受信するように構成されている。第１の回路１４は、デジタル／アナログ変換器（Ｄ／Ａ）２０に接続されたＤＳＰ（デジタル信号プロセッサ）１８を有し、デジタル／アナログ変換器２０はスイッチ２２を介して自動周波数制御信号を供給する。
【００１７】
同様に、送受話器のＧＳＭ側の第２の回路１６は、スイッチ２２を介してＧＳＭ用の自動周波数制御信号を送出するように構成されたデジタル／アナログ変換器２６に接続されたＤＳＰ２４を有する。
【００１８】
図に示すように、スイッチ２２は、デジタル／アナログ変換器２０からのＵＭＴＳ自動周波数制御信号、あるいはディジタル／アナログ変換器２６からのＧＳＭ自動周波数制御信号のいずれか一方を、２つのクロック発生器すなわち発振器２８，３０の１番目のものに送出できるように構成されている。ここで発振器２８，３０は、いずれも、電圧制御型水晶発振器であり、スイッチ２２からの電圧信号は第１の発振器２８に与えられている。
【００１９】
第１の発振器２８からのクロックは、ＵＭＴＳタイムベースクロックの発生に使用する１９．２ＭＨｚを含み、それに対して、第２の発振器３０からのクロックは、ＧＳＭタイムベースの発生に使用する１３ＭＨｚクロックを含む。
【００２０】
図に示すように、２つの発振器２８，３０は、フェーズロックドループ回路（ＰＬＬ）３２により直列に接続されている。フェーズロックドループ回路３２は、第１および第２の発振器２８，３０を一緒にロックするように動作する。具体的には、第１の発振器２８の発振出力と第２の発振器の発振出力とがフェーズロックドループ回路３２に与えられ、両方の発振出力が相互にロックするように、フェーズロックドループ回路３２は電圧信号を第２の発振器３０に供給する。
【００２１】
電圧制御発振器（ＶＣＯ）を使用する標準のフェーズロックドループ回路に対して、本発明の回路に含まれるフェーズロックドループ回路３２は、低い位相雑音を与えるために、上述したように、電圧制御型水晶発振器を使用する。
【００２２】
図示する実施形態において、スイッチ２２の制御は、例えば、図に示すように、回路アーキテクチャにおけるＵＭＴＳ側の回路が発振器２８，３０に接続することを可能にするようにスイッチ２２を制御するためにデジタル信号プロセサ２４からの制御線３４を介するロー(low)信号が使用されるような方法で、デジタル信号プロセッサ１８，２４により行われる。
【００２３】
これは送受話器での電力消費を制限する一助になることがわかる。他の方法では、スイッチ２２に正しい制御信号を供給するために、発振器２８，３０に接続されていない方の通信システムに対応する回路のデジタル信号プロセッサは、いかなる場合にもアクティブでなければならない。
【００２４】
したがって十分理解されるであろうように、フェーズロックドループによって２つのクロックをロックすることにより、１つの移動電話機送受話器に２つのタイムベースを備えることが可能であり、両方のタイムベースはドリフトすることがない。
【００２５】
【発明の効果】
以上説明したように本発明は、異なるタイムベースを必要とする複数の通信システム間の相互運用性を考慮した移動無線通信装置を容易に構成できる、という効果がある。
【図面の簡単な説明】
【図１】本発明を具体的に例示する実施形態における回路アーキテクチャを有する移動無線通信装置の概略ブロック図である。
【符号の説明】
１０    回路装置
１２    ＣＰＵ（中央処理装置）
１４    第１の回路
１６    第２の回路
１８，２４    ＤＳＰ（デジタル信号プロセッサ）
２０，２６    デジタル／アナログ変換器（Ｄ／Ａ）
２２    スイッチ
２８    第１の発振器
３０    第２の発振器
３２    フェーズロックドループ回路（ＰＬＬ）
３４    制御線
【図１】
0004224685.tif 000002